(57)【要約】【課題】ビニール袋に詰めた飲料水を供給するウォーターサーバーを提供する。【解決手段】本発明のウォーターサーバーは、飲料用液体を冷却する冷却タンクおよび飲料用液体を温める加熱タンクを内蔵し、冷却タンクおよび加熱タンクから飲料用液体を供給する供給口が設けられた本体と、飲料用液体の入ったビニール袋をセットするボトルホルダーを備えるウォーターサーバーであって、前記ボトルホルダーに前記ビニール袋をセットすると、前記ボトルホルダーのすり鉢状の底面の中央に設けられたニードルによって前記ビニール袋に孔が開けられ、飲料用液体が前記ニードルの通路を通って前記ボトルホルダーの底部に流れ、前記底部に一時的に貯留された飲料用液体は挿入棒の通路を通って前記冷却タンクへと流れ、前記冷却タンクに入った飲料用液体が前記加熱タンクへと送られて前記冷却タンクおよび前記加熱タンクに飲料用液体が貯められる。【選択図】  図１
2011046446.tif 000002
【特許請求の範囲】
【請求項１】
飲料用液体を冷却する冷却タンクおよび飲料用液体を温める加熱タンクを内蔵し、冷却タンクおよび加熱タンクから飲料用液体を供給する供給口が設けられた本体と、飲料用液体の入ったビニール袋をセットするボトルホルダーを備えるウォーターサーバーであって、
前記冷却タンクと接続され、前記本体の上部の開口を塞ぎ、前記ボトルホルダーを保持し、飲料用液体を前記ボトルホルダーから冷却タンクへと流出させるパッキングホルダーが設けられ、
前記ボトルホルダーは、側壁とすり鉢状の底面と蓋から構成され、前記すり鉢状の底面の中央には飲料用液体を一時的に貯留する円筒形の底部を設け、前記底部は上面の中央には開口が設けられ、底は開口となっており、前記上面の開口には、飲料用液体の入ったビニール袋に孔を開け、飲料用液体を本体へと流出させるニードルが取り付けられ、前記底の開口には逆止弁が取り付けられ、
前記ニードルは、先端が尖った円筒形状で内部に仕切り壁によって分けられた２つの通路を有する本体部と前記ボトルホルダーの底部の上面に固定するための鍔部からなり、前記２つの通路は、本体部の底面の開口から本体部の側面の鍔部より上に設けられた第１開口へと繋がる飲料用液体用通路と、本体部の底面の開口および本体部の側面の鍔部より下に設けられた第２開口から、本体部の側面の鍔部より上に設けられた第３開口へと繋がる空気用通路であり、
前記パッキングホルダーのすり鉢状の部分の中央には前記ボトルホルダーの底部が挿入される円筒形の窪みを形成し、前記窪みには前記逆止弁を開けて前記底部から前記冷却タンクに飲料用液体が流れる通路を有する挿入棒が設けられ、前記窪みを取り囲み前記冷却タンクの開口と接続される接続部が設けられ、前記パッキングホルダーの接続部と前記冷却タンクの開口との接続にはパッキンが用いられ、
前記パッキンは、リング状で内周面には前記接続部に嵌め込む溝が設けられ、外周面には上下２段の鍔が設けられており、前記外周面と前記冷却タンクの開口の内周が接触して前記２段の鍔が変形しており、
前記ビニール袋内の飲料用液体は、前記ニードルにより開けられた孔から前記ニードルの前記飲料用液体用通路および前記空気用通路を通って前記ボトルホルダーの底部に流れ、前記底部に一時的に貯留された飲料用液体は前記逆止弁を開いた前記挿入棒の通路を通って前記冷却タンクへと流れ、前記冷却タンクに入った飲料用液体が前記加熱タンクへと送られて前記冷却タンクおよび前記加熱タンクに飲料用液体が貯められ、
前記ビニール袋内の飲料用液体が少なくなり、前記ボトルホルダーの底部に一時的に貯留されている飲料用液体が少なくなり、前記第２開口が前記ボトルホルダーの底部に一時的に貯留されている飲料用液体の水面より上になると、前記底部内の空気が前記第２開口から前記空気用通路を通って前記第３開口へと空気が流れ、前記ビニール袋内に空気が流入することで、前記ビニール袋の中に残っている飲料用液体が前記飲料用液体通路を通って前記底部へと送られることを特徴とするウォーターサーバー。
【請求項２】
飲料用液体を冷却する冷却タンクおよび飲料用液体を温める加熱タンクを内蔵し、冷却タンクおよび加熱タンクから飲料用液体を供給する供給口が設けられた本体と、飲料用液体の入ったビニール袋をセットするボトルホルダーを備えるウォーターサーバーであって、
前記冷却タンクと接続され、前記本体の上部の開口を塞ぎ、前記ボトルホルダーを保持し、飲料用液体を前記ボトルホルダーから冷却タンクへと流出させるパッキングホルダーが設けられ、
前記ボトルホルダーは、側壁とすり鉢状の底面と蓋から構成され、前記すり鉢状の底面の中央には飲料用液体を一時的に貯留する円筒形の底部を設け、前記底部は上面の中央には開口が設けられ、底は開放された状態であり、前記上面の開口には、飲料用液体の入ったビニール袋に孔を開け、飲料用液体を本体へと流出させるニードルが取り付けられ、
前記ニードルは、先端が尖った円筒形状で内部に仕切り壁によって分けられた２つの通路を有する本体部と前記ボトルホルダーの底部の上面に固定するための鍔部からなり、前記２つの通路は、本体部の底面の開口から本体部の側面の鍔部より上に設けられた第１開口へと繋がる飲料用液体用通路と、本体部の底面の開口および本体部の側面の鍔部より下に設けられた第２開口から、本体部の側面の鍔部より上に設けられた第３開口へと繋がる空気用通路であり、
前記パッキングホルダーのすり鉢状の部分の中央には前記ボトルホルダーの底部が挿入される円筒形の窪みを形成し、前記窪みには前記底部から前記冷却タンクに飲料用液体が流れる通路を有する挿入棒が設けられ、前記挿入棒には前記ボトルホルダーの底部の開放された底を塞ぐつば状の底蓋が取り付けられ、前記パッキングホルダーには、前記窪みを取り囲み前記冷却タンクの開口と接続される接続部が設けられ、前記パッキングホルダーの接続部と前記冷却タンクの開口との接続にはパッキンが用いられ、
前記パッキンは、リング状で内周面には前記接続部に嵌め込む溝が設けられ、外周面には上下２段の鍔が設けられており、前記外周面と前記冷却タンクの開口の内周が接触して前記２段の鍔が変形しており、
前記ビニール袋内の飲料用液体は、前記ニードルにより開けられた孔から前記ニードルの前記飲料用液体用通路および前記空気用通路を通って前記ボトルホルダーの底部に流れ、前記底部に一時的に貯留された飲料用液体は前記挿入棒の通路を通って前記冷却タンクへと流れ、前記冷却タンクに入った飲料用液体が前記加熱タンクへと送られて前記冷却タンクおよび前記加熱タンクに飲料用液体が貯められ、
前記ビニール袋内の飲料用液体が少なくなり、前記ボトルホルダーの底部に一時的に貯留されている飲料用液体が少なくなり、前記第２開口が前記ボトルホルダーの底部に一時的に貯留されている飲料用液体の水面より上になると、前記底部内の空気が前記第２開口から前記空気用通路を通って前記第３開口へと空気が流れ、前記ビニール袋内に空気が流入することで、前記ビニール袋の中に残っている飲料用液体が前記飲料用液体通路を通って前記底部へと送られることを特徴とするウォーターサーバー。
【請求項３】
前記ビニール袋は内層と外層の間に中間層を設けた３層構造のビニールからなり、前記内層に低密度ポリエチレンを用い、前記外層に無延伸ポリプロピレンを用い、前記中間層にナイロンを用いたことを特徴とする請求項１または２に記載のウォーターサーバー。
【請求項４】
前記ニードルの先端に段差を設けたことを特徴とする請求項１〜３のいずれか１項に記載のウォーターサーバー。
【請求項５】
前記飲料用液体に殺菌効果のある紫外光を照射するＵＶ−ＬＥＤライトを設けたことを特徴とする請求項１〜４のいずれか１項に記載のウォーターサーバー。
【請求項６】
前記ニードルの外周面と接する円筒形の側面と前記ビニール袋への取り付け面を有する鍔部からなる口栓ホルダーを前記ビニール袋に取り付け、前記口栓ホルダーに前記ニードルを挿入して前記ビニール袋に孔を開けることを特徴とする請求項１〜５のいずれか１項に記載のウォーターサーバー。
【発明の詳細な説明】
【技術分野】
【０００１】
本発明は、ウォーターサーバーに関し、ビニール袋に入れられた飲料用液体を供給するウォーターサーバーに関する。
【背景技術】
【０００２】
従来のウォーターサーバーは、ボトルに飲料用液体、例えば飲料水を入れて、ウォーターサーバーの利用者に配布し、利用者は飲料水の入ったボトルをウォーターサーバーの上部にセットする。そして、水を飲む時にウォーターサーバーのスイッチを押すと、飲料水が供給されるという装置であった。このようなものとしては、特許文献１に記載されているものがある。
【先行技術文献】
【特許文献】
【０００３】
【特許文献１】特開２００７−２１０６６７号公報
【発明の概要】
【発明が解決しようとする課題】
【０００４】
しかしながら、従来のポリカーボネート製ボルトに飲料水を入れて利用者に供給するウォーターサーバーの場合、前記ボトルは空になったら回収して、新たな飲料水を詰めて再び利用者に供給する必要があった。そのために、ボトルを届ける範囲に限界があり、利用者は時間指定ができないために特に昼間に誰もいない家庭やマンション居住者への配達が困難であるという問題、ボトルを回収する手間がかかるという問題、また、利用済みのボトルを回収するまでの間は保管しておくスペースが必要という問題、さらに、繰り返しボトルを使用することによって、衛生上の問題があった。また、ボトルの材質としてポリカーボネートが多く用いられていることから、有害物質が溶出する恐れや、構造上の問題から冷却タンクに空気が入りバクテリアが繁殖する恐れがあるといった様々な問題があった。
【０００５】
上述のような問題を解決するためにペットボトルを飲料水を入れて利用者に供給するウォーターサーバーも用いられているが、この場合、上述の問題のうちいくつかの問題は解決できるが、例えば１２Ｌのペットボトルを使用する場合、１個のペットボトルを製造するにはプラスチックを約１８０ｇ使用し、製造エネルギーが約７１１１０ｋｃａｌ／ｇ必要であるが、ペットボトルは使い捨てのためにこれらのプラスチックおよびエネルギーは全てコストに影響を与え、さらに環境の点から考えても無駄な消費となっている。さらに、ボトルを持ちた場合、ペットボトルを処分するまでの間の保管スペースの問題、また残水が多く（約１００ｍｌ）、全ての飲料水を使い切ることができないという問題があった。
【０００６】
そこで、本発明は前記問題を解決するために、ビニール袋に詰めた飲料用液体を供給するウォーターサーバーを提供することを目的とする。
【課題を解決するための手段】
【０００７】
本発明のウォーターサーバーは、飲料用液体を冷却する冷却タンクおよび飲料用液体を温める加熱タンクを内蔵し、冷却タンクおよび加熱タンクから飲料用液体を供給する供給口が設けられた本体と、飲料用液体の入ったビニール袋をセットするボトルホルダーを備えるウォーターサーバーであって、前記冷却タンクと接続され、前記本体の上部の開口を塞ぎ、前記ボトルホルダーを保持し、飲料用液体を前記ボトルホルダーから冷却タンクへと流出させるパッキングホルダーが設けられ、前記ボトルホルダーは、側壁とすり鉢状の底面と蓋から構成され、前記すり鉢状の底面の中央には飲料用液体を一時的に貯留する円筒形の底部を設け、前記底部は上面の中央には開口が設けられ、底は開口となっており、前記上面の開口には、飲料用液体の入ったビニール袋に孔を開け、飲料用液体を本体へと流出させるニードルが取り付けられ、前記底の開口には逆止弁が取り付けられ、前記ニードルは、先端が尖った円筒形状で内部に仕切り壁によって分けられた２つの通路を有する本体部と前記ボトルホルダーの底部の上面に固定するための鍔部からなり、前記２つの通路は、本体部の底面の開口から本体部の側面の鍔部より上に設けられた第１開口へと繋がる飲料用液体用通路と、本体部の底面の開口および本体部の側面の鍔部より下に設けられた第２開口から、本体部の側面の鍔部より上に設けられた第３開口へと繋がる空気用通路であり、前記パッキングホルダーのすり鉢状の部分の中央には前記ボトルホルダーの底部が挿入される円筒形の窪みを形成し、前記窪みには前記逆止弁を開けて前記底部から前記冷却タンクに飲料用液体が流れる通路を有する挿入棒が設けられ、前記窪みを取り囲み前記冷却タンクの開口と接続される接続部が設けられ、前記パッキングホルダーの接続部と前記冷却タンクの開口との接続にはパッキンが用いられ、前記パッキンは、リング状で内周面には前記接続部に嵌め込む溝が設けられ、外周面には上下２段の鍔が設けられており、前記外周面と前記冷却タンクの開口の内周が接触して前記２段の鍔が変形しており、前記ビニール袋内の飲料用液体は、前記ニードルにより開けられた孔から前記ニードルの前記飲料用液体用通路および前記空気用通路を通って前記ボトルホルダーの底部に流れ、前記底部に一時的に貯留された飲料用液体は前記逆止弁を開いた前記挿入棒を通って前記冷却タンクへと流れ、前記冷却タンクに入った飲料用液体が前記加熱タンクへと送られて前記冷却タンクおよび前記加熱タンクに飲料用液体が貯められ、前記ビニール袋内の飲料用液体が少なくなり、前記ボトルホルダーの底部に一時的に貯留されている飲料用液体が少なくなり、前記第２開口が前記ボトルホルダーの底部に一時的に貯留されている飲料用液体の水面より上になると、前記底部内の空気が前記第２開口から前記空気用通路を通って前記第３開口へと空気が流れ、前記ビニール袋内に空気が流入することで、前記ビニール袋の中に残っている飲料用液体が前記飲料用液体通路を通って前記底部へと送られることを特徴とする。
【０００８】
また、本発明のウォーターサーバーは、飲料用液体を冷却する冷却タンクおよび飲料用液体を温める加熱タンクを内蔵し、冷却タンクおよび加熱タンクから飲料用液体を供給する供給口が設けられた本体と、飲料用液体の入ったビニール袋をセットするボトルホルダーを備えるウォーターサーバーであって、前記冷却タンクと接続され、前記本体の上部の開口を塞ぎ、前記ボトルホルダーを保持し、飲料用液体を前記ボトルホルダーから冷却タンクへと流出させるパッキングホルダーが設けられ、前記ボトルホルダーは、側壁とすり鉢状の底面と蓋から構成され、前記すり鉢状の底面の中央には飲料用液体を一時的に貯留する円筒形の底部を設け、前記底部は上面の中央には開口が設けられ、底は開放された状態であり、前記上面の開口には、飲料用液体の入ったビニール袋に孔を開け、飲料用液体を本体へと流出させるニードルが取り付けられ、前記ニードルは、先端が尖った円筒形状で内部に仕切り壁によって分けられた２つの通路を有する本体部と前記ボトルホルダーの底部の上面に固定するための鍔部からなり、前記２つの通路は、本体部の底面の開口から本体部の側面の鍔部より上に設けられた第１開口へと繋がる飲料用液体用通路と、本体部の底面の開口および本体部の側面の鍔部より下に設けられた第２開口から、本体部の側面の鍔部より上に設けられた第３開口へと繋がる空気用通路であり、前記パッキングホルダーのすり鉢状の部分の中央には前記ボトルホルダーの底部が挿入される円筒形の窪みを形成し、前記窪みには前記底部から前記冷却タンクに飲料用液体が流れる通路を有する挿入棒が設けられ、前記挿入棒には前記ボトルホルダーの底部の開放された底を塞ぐつば状の底蓋が取り付けられ、前記パッキングホルダーには、前記窪みを取り囲み前記冷却タンクの開口と接続される接続部が設けられ、前記パッキングホルダーの接続部と前記冷却タンクの開口との接続にはパッキンが用いられ、前記パッキンは、リング状で内周面には前記接続部に嵌め込む溝が設けられ、外周面には上下２段の鍔が設けられており、前記外周面と前記冷却タンクの開口の内周が接触して前記２段の鍔が変形しており、前記ビニール袋内の飲料用液体は、前記ニードルにより開けられた孔から前記ニードルの前記飲料用液体用通路および前記空気用通路を通って前記ボトルホルダーの底部に流れ、前記底部に一時的に貯留された飲料用液体は前記挿入棒の通路を通って前記冷却タンクへと流れ、前記冷却タンクに入った飲料用液体が前記加熱タンクへと送られて前記冷却タンクおよび前記加熱タンクに飲料用液体が貯められ、前記ビニール袋内の飲料用液体が少なくなり、前記ボトルホルダーの底部に一時的に貯留されている飲料用液体が少なくなり、前記第２開口が前記ボトルホルダーの底部に一時的に貯留されている飲料用液体の水面より上になると、前記底部内の空気が前記第２開口から前記空気用通路を通って前記第３開口へと空気が流れ、前記ビニール袋内に空気が流入することで、前記ビニール袋の中に残っている飲料用液体が前記飲料用液体通路を通って前記底部へと送られることを特徴とする。
【０００９】
さらに、前記ビニール袋として、前記ビニール袋は内層と外層の間に中間層を設けた３層構造のビニールからなり、前記内層に低密度ポリエチレンを用い、前記外層に無延伸ポリプロピレンを用い、前記中間層にナイロンを用いたビニール袋を使用する。
【００１０】
前記ニードルの先端に段差を設けることも可能であり、さらに前記飲料用液体に殺菌効果のある紫外光を照射するＵＶ−ＬＥＤライトを設けることも可能である。
【００１１】
前記ニードルの外周面と接する円筒形の側面と前記ビニール袋への取り付け面を有する鍔部からなる口栓ホルダーを前記ビニール袋に取り付け、前記口栓ホルダーに前記ニードルを挿入して前記ビニール袋に孔を開ける方法を用いることもできる。
【発明の効果】
【００１２】
本発明のウォーターサーバーは、飲料用液体を冷却する冷却タンクおよび飲料用液体を温める加熱タンクを内蔵し、冷却タンクおよび加熱タンクから飲料用液体を供給する供給口が設けられた本体と、飲料用液体の入ったビニール袋をセットするボトルホルダーを備えるウォーターサーバーであって、前記冷却タンクと接続され、前記本体の上部の開口を塞ぎ、前記ボトルホルダーを保持し、飲料用液体を前記ボトルホルダーから冷却タンクへと流出させるパッキングホルダーが設けられ、前記ボトルホルダーは、側壁とすり鉢状の底面と蓋から構成され、前記すり鉢状の底面の中央には飲料用液体を一時的に貯留する円筒形の底部を設け、前記底部は上面の中央には開口が設けられ、底は開口となっており、前記上面の開口には、飲料用液体の入ったビニール袋に孔を開け、飲料用液体を本体へと流出させるニードルが取り付けられ、前記底の開口には逆止弁が取り付けられ、前記ニードルは、先端が尖った円筒形状で内部に仕切り壁によって分けられた２つの通路を有する本体部と前記ボトルホルダーの底部の上面に固定するための鍔部からなり、前記２つの通路は、本体部の底面の開口から本体部の側面の鍔部より上に設けられた第１開口へと繋がる飲料用液体用通路と、本体部の底面の開口および本体部の側面の鍔部より下に設けられた第２開口から、本体部の側面の鍔部より上に設けられた第３開口へと繋がる空気用通路であり、前記パッキングホルダーのすり鉢状の部分の中央には前記ボトルホルダーの底部が挿入される円筒形の窪みを形成し、前記窪みには前記逆止弁を開けて前記底部から前記冷却タンクに飲料用液体が流れる通路を有する挿入棒が設けられ、前記窪みを取り囲み前記冷却タンクの開口と接続される接続部が設けられ、前記パッキングホルダーの接続部と前記冷却タンクの開口との接続にはパッキンが用いられ、前記パッキンは、リング状で内周面には前記接続部に嵌め込む溝が設けられ、外周面には上下２段の鍔が設けられており、前記外周面と前記冷却タンクの開口の内周が接触して前記２段の鍔が変形しており、前記ビニール袋内の飲料用液体は、前記ニードルにより開けられた孔から前記ニードルの前記飲料用液体用通路および前記空気用通路を通って前記ボトルホルダーの底部に流れ、前記底部に一時的に貯留された飲料用液体は前記逆止弁を開いた前記挿入棒を通って前記冷却タンクへと流れ、前記冷却タンクに入った飲料用液体が前記加熱タンクへと送られて前記冷却タンクおよび前記加熱タンクに飲料用液体が貯められ、前記ビニール袋内の飲料用液体が少なくなり、前記ボトルホルダーの底部に一時的に貯留されている飲料用液体が少なくなり、前記第２開口が前記ボトルホルダーの底部に一時的に貯留されている飲料用液体の水面より上になると、前記底部内の空気が前記第２開口から前記空気用通路を通って前記第３開口へと空気が流れ、前記ビニール袋内に空気が流入することで、前記ビニール袋の中に残っている飲料用液体が前記飲料用液体通路を通って前記底部へと送られることにより、飲料用液体を入れているビニール袋はから有害物質が溶出する心配が無く、また、冷却タンクに外気が入りバクテリアが繁殖する恐れもなく、さらに、リサイクル可能な資源ごみとして処理することができ、ビニール袋内の飲料用液体をほぼ使い切ることが可能となる。
【００１３】
また、本発明のウォーターサーバーは、飲料用液体を冷却する冷却タンクおよび飲料用液体を温める加熱タンクを内蔵し、冷却タンクおよび加熱タンクから飲料用液体を供給する供給口が設けられた本体と、飲料用液体の入ったビニール袋をセットするボトルホルダーを備えるウォーターサーバーであって、前記冷却タンクと接続され、前記本体の上部の開口を塞ぎ、前記ボトルホルダーを保持し、飲料用液体を前記ボトルホルダーから冷却タンクへと流出させるパッキングホルダーが設けられ、前記ボトルホルダーは、側壁とすり鉢状の底面と蓋から構成され、前記すり鉢状の底面の中央には飲料用液体を一時的に貯留する円筒形の底部を設け、前記底部は上面の中央には開口が設けられ、底は開放された状態であり、前記上面の開口には、飲料用液体の入ったビニール袋に孔を開け、飲料用液体を本体へと流出させるニードルが取り付けられ、前記ニードルは、先端が尖った円筒形状で内部に仕切り壁によって分けられた２つの通路を有する本体部と前記ボトルホルダーの底部の上面に固定するための鍔部からなり、前記２つの通路は、本体部の底面の開口から本体部の側面の鍔部より上に設けられた第１開口へと繋がる飲料用液体用通路と、本体部の底面の開口および本体部の側面の鍔部より下に設けられた第２開口から、本体部の側面の鍔部より上に設けられた第３開口へと繋がる空気用通路であり、前記パッキングホルダーのすり鉢状の部分の中央には前記ボトルホルダーの底部が挿入される円筒形の窪みを形成し、前記窪みには前記底部から前記冷却タンクに飲料用液体が流れる通路を有する挿入棒が設けられ、前記挿入棒には前記ボトルホルダーの底部の開放された底を塞ぐつば状の底蓋が取り付けられ、前記パッキングホルダーには、前記窪みを取り囲み前記冷却タンクの開口と接続される接続部が設けられ、前記パッキングホルダーの接続部と前記冷却タンクの開口との接続にはパッキンが用いられ、前記パッキンは、リング状で内周面には前記接続部に嵌め込む溝が設けられ、外周面には上下２段の鍔が設けられており、前記外周面と前記冷却タンクの開口の内周が接触して前記２段の鍔が変形しており、前記ビニール袋内の飲料用液体は、前記ニードルにより開けられた孔から前記ニードルの前記飲料用液体用通路および前記空気用通路を通って前記ボトルホルダーの底部に流れ、前記底部に一時的に貯留された飲料用液体は前記挿入棒の通路を通って前記冷却タンクへと流れ、前記冷却タンクに入った飲料用液体が前記加熱タンクへと送られて前記冷却タンクおよび前記加熱タンクに飲料用液体が貯められ、前記ビニール袋内の飲料用液体が少なくなり、前記ボトルホルダーの底部に一時的に貯留されている飲料用液体が少なくなり、前記第２開口が前記ボトルホルダーの底部に一時的に貯留されている飲料用液体の水面より上になると、前記底部内の空気が前記第２開口から前記空気用通路を通って前記第３開口へと空気が流れ、前記ビニール袋内に空気が流入することで、前記ビニール袋の中に残っている飲料用液体が前記飲料用液体通路を通って前記底部へと送られることにより、飲料用液体を入れているビニール袋から有害物質が溶出する心配が無く、また、冷却タンクに外気が入りバクテリアが繁殖する恐れもなく、さらに、リサイクル可能な資源ごみとして処理することができ、ビニール袋内の飲料用液体をほぼ使い切ることが可能であり、さらに掃除がしやすいことで常に清潔な状態を保つことが可能となる。
【００１４】
さらに、前記ビニール袋として、前記ビニール袋は内層と外層の間に中間層を設けた３層構造のビニールからなり、前記内層に低密度ポリエチレンを用い、前記外層に無延伸ポリプロピレンを用い、前記中間層にナイロンを用いたビニール袋を使用することにより、運搬時には破れにくくなり、ニードルによって孔を開けると孔の周囲のビニール袋が前記ニードルと密着して前記孔から飲料用液体がボトルホルダーに漏れるのを防ぐことが可能となる。
【００１５】
前記ニードルの先端に段差を設けることにより、ビニール袋に簡単に孔を開けることができ、孔の開いたビニール袋が前記ニードルに密着して飲料用液体が漏れることがなくなり、さらに前記飲料用液体に殺菌効果のある紫外光を照射するＵＶ−ＬＥＤライトを設けることにより、常に飲料用液体を清潔に保つことができるようになる。
【００１６】
前記ニードルの外周面と接する円筒形の側面と前記ビニール袋への取り付け面を有する鍔部からなる口栓ホルダーを前記ビニール袋に取り付け、前記口栓ホルダーに前記ニードルを挿入して前記ビニール袋に孔を開けることにより、前記ニードルで孔を開けた後、前記ニードルと前記口栓ホルダーが密着することにより、ビニールの材質に関係なく前記孔から飲料用液体がボトルホルダーに漏れるのを防ぐことが可能となる。
【図面の簡単な説明】
【００１７】
【図１】本発明のウォーターサーバーの正面図である。
【図２】第１の実施形態で使用するパッキングホルダーの断面図である。
【図３】パッキンの図面であり、（ａ）が平面図、（ｂ）が断面図である。
【図４】パッキンの取り付け状態を示す図であり、（ａ）がパッキングホルダーにパッキンを取り付けた状態を示す断面図、（ｂ）がパッキングホルダーを本体にセットした状態の断面図である。
【図５】第１の実施形態で使用するボトルホルダーの断面図である。
【図６】ニードルの斜視図であり、（ａ）が上から見た斜視図、（ｂ）が下から見た斜視図である。
【図７】ニードルの断面図である。
【図８】第１の実施形態においてボトルホルダーをパッキングホルダーにセットした状態を示す断面図である。
【図９】第１の実施形態において飲料用液体が流れる状態を示す断面図であり初期の状態を示す図である。
【図１０】第１の実施形態において飲料用液体が流れる状態を示す断面図でありビニール袋内の飲料用液体が少なくなってきた状態を示す図である。
【図１１】ウォーターサーバーの使用状況を示す図であり、ボトルホルダーに飲料用液体の入ったビニール袋をセットする状態を示す。
【図１２】ウォーターサーバーの使用状況を示す図であり、コップに飲料用液体を入れている状態を示す。
【図１３】第１の実施形態のウォーターサーバーの上半分の内部構造を示す断面図である。
【図１４】先端に段差を設けたニードルの斜視図である。
【図１５】先端に段差を設けたニードルの断面図である。
【図１６】第２の実施形態で使用するボトルホルダーの断面図である。
【図１７】第２の実施形態においてボトルホルダーをパッキングホルダーにセットした状態を示す断面図である。
【図１８】口栓ホルダーの斜視図である。
【図１９】口栓ホルダーとニードルが密着した状態を示す断面図である。
【発明を実施するための形態】
【００１８】
本発明を、図を用いて以下に詳細に説明する。図１が本発明のウォーターサーバー１，１’の正面図であり、内部構造の一部を破線を用いて示しいる。図１３が本発明の第１の実施形態のウォーターサーバー１の上半分の内部構造の詳細を示す断面図である。
【００１９】
本発明の第１の実施形態のウォーターサーバー１は、図１に示すように、本体２と、本体２の上部にセットされるボトルホルダー３から構成される。前記本体２の内部には、飲料用液体を冷却する冷却タンク４および飲料用液体を温める加熱タンク５を内蔵し、正面には冷やされた飲料用液体あるいは温められた飲料用液体を供給する２つの供給口６，７が設けられている。ここでは、飲料用液体として飲料水を用いる場合について説明するが、飲料水に限らずその他の飲料用液体を用いることも可能である。
【００２０】
前記冷却タンク４では本体２に内蔵された冷却装置によって飲料水が所定の温度に冷やされ、前記加熱タンク５では本体２に内蔵されたヒーターによって飲料水が所定の温度に温められる。ここでは、前記冷却タンク４の容量を２．２Ｌ、前記加熱タンク５の容量を２Ｌとし、前記冷却タンク４の下に前記加熱タンク５が配置され、前記冷却タンク５に送られてきた飲料水が前記加熱タンク５に流れる構造となっている。前記供給口６，７は、冷水を供給する供給口６と温水を供給する供給口７とに分かれているが、１つの供給口で冷水と温水を切り替える構造としてもよい。
【００２１】
前記本体２の上部の開口には、図１３に示すように、前記本体２の上部の開口を塞ぎ、前記ボトルホルダー３を保持し、飲料水を前記ボトルホルダー３から冷却タンク４へと流出させるすり鉢状のパッキングホルダー８が設けられ、前記パッキングホルダー８が前記冷却タンク４と接続されている。図２に示すように、前記パッキングホルダー８のすり鉢状の部分の中央には円筒形の窪み３２が形成され、前記窪み３２の中心には挿入棒２５を設置し、さらに、前記窪み３２を取り囲み、前記冷却タンク４の開口と接続される円筒形の接続部２４を設けている。前記パッキングホルダー８の接続部２４と前記冷却タンク４の開口との接続には止水性を考慮してパッキン１４を用いている。
【００２２】
前記パッキン１４は、図３に示すように、リング状で、内周面には前記接続部２４に嵌め込む溝２６を設け、外周面には上下２段の鍔２７，２８を設けており、前記鍔２７，２８は上段の鍔２７が下段の鍔２８よりも外周が大きく形成されている。パッキン１４の取り付けは、初めに、図４（ａ）に示すように、パッキン１４を、前記溝２６に前記接続部２４の下端を嵌め込むように取り付け、次に、前記パッキングホルダー８を、前記冷却タンク４の開口の内周面に前記パッキン１４の外周が接触するように上から挿入し本体２の開口にセットする。
【００２３】
そうすると、図４（ｂ）に示すように、前記２段の鍔２７，２８が共に上方へ変形し、前記冷却タンク４と前記パッキングホルダー８との間の止水性が確保される。特に、２段の鍔２７，２８を用いることで、より止水性が高められる。冷却タンク４に飲料水が満たされると、前記パッキングホルダー８と前記冷却タンク４との接続部分まで飲料水が貯まるので、本体２内部に飲料水が流出しないようにするために、特にこの部分には止水性が求められる。
【００２４】
図５に示すように、前記ボトルホルダー３は側壁とすり鉢状の底面と、前記底面の中心に設けられた円筒形状の底部１５と、蓋１３とから構成される。前記蓋１３には窪みを設けて取っ手を形成している。前記ボトルホルダー３の底部１５は上面の中央には開口が設けられ、底は開口となっており、前記上面の開口には、飲料水の入ったビニール袋１０に孔を開け、飲料水を本体２の冷却タンク４へと流出させるニードル９が取り付けられ、前記底部１５の底の開口には前記パッキングホルダー８に設けられた挿入棒２５が挿入されると弁が開く逆止弁１６が取り外し可能に取り付けられている。前記ボトルホルダー３は、前記ビニール袋１０が柔らかいので保持するために必要であり、また、ビニール袋１０が万が一破れた場合に、中の飲料水が周囲に流出するのを防ぐ働きもする。そして、ビニール袋１０内の飲料水が直接外気と触れるのを少しでも軽減させるためにも必要である。
【００２５】
前記逆止弁１６は前記ボトルホルダー３の底部１５の底面の開口を塞ぐキャップ３３とキャップ３３の中央に設けられた孔を開閉する弁３４から構成されており、前記キャップ３３は前記ボトルホルダー３の底部１５に着脱可能に取り付けられている。ボトルホルダー３をパッキングホルダー８にセットしていない状態では、図５に示すように、前記逆止弁１６はキャップ３３の孔に弁３４が嵌っており逆止弁１６は閉じられた状態となっており、前記底部１５に飲料水が残っていたとしても、逆止弁１６の孔から漏れることはない。
【００２６】
しかし、ボトルホルダー３をパッキングホルダー８にセットすると前記挿入棒２５が前記逆止弁１６の孔に挿入され、前記逆止弁１６の弁３４は前記挿入棒２５の先端に嵌り、さらに前記キャップ３３から離れて上方へと移動され、逆止弁１６が開いた状態となり、前記底部１５の内部に前記挿入棒２５の上部が挿入された状態となる。
【００２７】
前記挿入棒２５には内部に通路を設け、さらに前記底部１５の内部へと挿入される部分の側面には前記通路と通じる開口を設けているので、前記挿入棒２５は上述のように前記逆止弁１６を開いて前記底部１５の内部へと挿入された状態では、前記底部１５の中にある飲料水は前記挿入棒２５の開口から内部の通路を通って冷却タンク４へと流れる。
【００２８】
ボトルホルダー３をパッキングホルダー８から取り外すと、前記挿入棒２５が前記逆止弁１６のキャップ３３に設けられた孔から抜かれるので、前記挿入棒２５の先端に嵌っていた弁３４が前記キャップ３３の孔を塞ぐ状態となり、逆止弁１６は閉じた状態となり、前記底部１５に飲料水が入っていても前記キャップの孔からは流出しない構造となっている。
【００２９】
前記ニードル９は、図６，７に示すように、先端が尖った円筒形状で内部に仕切り壁３０で縦方向に仕切られた２つの通路１９，２０を有する本体部１７と前記ボトルホルダー３の底部１５の上面と係合し固定される鍔部１８からなる。前記鍔部１８の下方には側面が凹形状の円筒形の部分を設けており、前記底部１５の上面にニードル９を取り付ける際に、凹部にリング２９を嵌め込むことで、前記底部１５との止水性を確保する。
【００３０】
前記２つの通路１９，２０は、本体部１７の底面の開口から本体部１７の側面の鍔部より上に設けられた第１開口２１へと繋がる飲料水用通路１９と、本体部１７底面の開口あるいは側面の鍔部１８より下に設けられた第２開口２２から本体部１７の側面の鍔部１８より上に設けられた第３開口２３へと繋がる空気用通路２０である。
【００３１】
前記ニードル９の本体部１７の先端は尖った形状であり、図７の断面図では左右対称となっているが、この先端の半分の表面を削って、図１４，１５に示すように段差を設けて左右非対称としたニードル９’を用いると、ビニール袋１０に前記ニードル９’が差し込まれた時に、圧力が片方に集中しスムーズにビニール袋１０に差し込むことができる。また、前記ビニール袋１０に孔を開けた時に、孔が裂けることなく前記ビニール袋１０が前記ニードル９’の先端に密着しやすくなる。
【００３２】
前記ボトルホルダー３を前記パッキングホルダー８にセットするには、前記ボトルホルダー３の底部１５を前記パッキングホルダー８の窪み３２へと挿入する。この時、前記ボトルホルダー３の底部１５の底面に設けられた孔に前記パッキングホルダー８の挿入棒２５が挿入されるように位置決めを行う。このようにして、前記ボトルホルダー３を前記パッキングホルダー８にセットすると、逆止弁１６が開いて、図８に示すような状態となる。
【００３３】
上述のように、前記ボトルホルダー３およびパッキングホルダー８は簡単に取り外し可能であり、さらに、前記ボトルホルダー３に取り付けたニードル９および前記逆止弁１６、そして、前記パッキングホルダー８に取り付けられた挿入棒２５も全て取り外し可能であるので、洗浄が容易であり、定期的に分解して洗浄することで絶えず清潔な状態でウォーターサーバー１を使用することができる。
【００３４】
前記ビニール袋１０内の飲料水は、図９に矢印で示すように、初めは、前記ニードル９により開けられた孔から前記ビニール袋１０内に挿入された前記ニードル９の前記飲料水用通路１９および前記空気用通路２０を通って前記ボトルホルダー３の底部１５へと流れる。この時の飲料水は、前記第１開口２１および前記第３開口２３から前記ニードル９の底面の２つの開口へと流れており、前記空気用通路２０は飲料水用通路として用いられている。
【００３５】
前記ニードル９を通って前記ボトルホルダー３の底部１５へと流れた飲料水は、図７に矢印で示すように、前記挿入棒２５によって逆止弁１６のキャップ３３の孔を塞いでいた弁３４が上方に移動されることで逆止弁１６が開いた状態となっているので、前記挿入棒２５の側面の開口から内部の通路を通って前記冷却タンク４へと流れる。前記ビニール袋１０内に飲料水が大量に存在し、飲料水が一定量流れている間は、前記底部１５は飲料水でほぼ満杯であり、前記第２開口２２も一時的に貯留されている飲料水の水面下に位置している。
【００３６】
前記ビニール袋１０の飲料水が少なくなると、前記底部１５に一時的に貯まっている飲料水が徐々に少なくなる。前記底部１５に一時的に貯まっていた飲料水が所定の量以下になると、図１０に示すように、前記第２開口２２が底部１５に一時的に貯留されている飲料水の水面よりも上になる。すると、図１０に矢印Ａで示すように、前記第２開口２２からは底部１５に存在していた空気あるいは冷却タンク４に存在していた空気が流入し、前記空気用通路２０を通って前記第３開口２３へと空気が流れ、図１０に矢印Ｂで示すように、前記第３開口２３から空気がビニール袋１０内に流入する。この時、前記飲料使用通路１９には以前と同様に飲料水がこのようにして、飲料水しか入っていなかったビニール袋１０に空気が入ることで、真空に近い状態で流れにくくなっていたビニール袋内１０に残っていた飲料水をほとんど冷却タンク４へと送り出すことが可能となる。
【００３７】
このように、前記空気用通路２０は初めは飲料水を通過させているが、飲料水が少なくなると逆に空気を通過させることで、ビニール袋１０内の飲料水をほとんど使い切ることができる。具体例として残水量は約２０ｍｌとなり従来のペットボトルを用いたウォーターサーバーの残水量１００ｍｌと比べると約５分の１と大幅に少なくなる。これにより特に高価な飲料水等を供給する場合、大幅に残水量を少なくすることは使用者にとっても大きなメリットをもたらす。また、ビニール袋１０内へと送られる空気は前記底部１５あるいは冷却タンク４に存在していた空気であり外気を直接入れるのではないので、ビニール袋１０に孔を開けて外気を導入する場合に比べると衛生面でも優れた効果を奏する。
【００３８】
前記ウォーターサーバー１に使用する飲料水が入ったビニール袋１０は、異なる性質を有するポリエチレン等の材質を用いた内層と外層からなる２層構造、あるいは内層と外層の間に中間層を設けた３層構造のビニールを用いる。前記内層は飲料用液体と接するので異臭がなく飲料用液体に適した材質を用い、前記外層には高強度で衝撃に強く、ニードル９が差し込まれた時に、衝撃で裂けることなくニードル９の表面に纏わりつきながら孔が開くような材質を用いることが好ましい。
【００３９】
ここでは、前記内層に低密度ポリエチレンを用い、前記外層に無延伸ポリプロピレンを用い、前記中間層にナイロンを用いたビニールからなるビニール袋を使用する。このようなビニール袋１０を用いると、運搬時には衝撃を受けても破れることのない強度を確保することが可能となり、さらに、前記ニードル９で孔を開けた後、孔の周囲のビニールが前記ニードル９の周囲に密着するようになり孔の周りから飲料水がボトルホルダーへと漏れるのを防ぐことができる。
【００４０】
また、ビニール袋１０の外層あるいは中間層は印刷可能なので、ビニール袋１０内の飲料水の種類や性質、あるいはその他の広告等を印刷することもできる。従来のボトルであれば、印刷を施したフィルムをボトル表面に巻きつける方法を用いていたが、それに比べると低コストで印刷することが可能となる。
【００４１】
飲料水をビニール袋１０に入れて利用者に配達する時には、例えば、１つのダンボールに９Ｌの飲料水の入ったビニール袋１０を３個入れて配達する。これにより、利用者は空になったダンボールおよびビニール袋１０を資源ごみとしてリサイクルでき、また、処分するまでの間も、小さく折りたためるので余分なスペースは不要となる。そして、従来のボトルのように回収してもらう必要もなく、好きな時にあたらしい飲料水を注文することも可能であり、また、段ボールによる梱包で海外への搬送、あるいは海外の水を注文することも可能となる。
【００４２】
次に、前記ウォーターサーバー１の使用方法について説明する。上述のように、本発明のウォーターサーバー１の利用者には、約９Ｌの飲料水の入ったビニール袋１０が１つのダンボールに３個詰められて配達される。利用者はダンボールから飲料水の入ったビニール袋１０を取り出し、図１１に示すように、本体２からカバー３１を取り外し、前記ボトルホルダー３の蓋３１を開けて、飲料水の入ったビニール袋１０をボトルホルダー３の中にセットする。
【００４３】
前記ビニール袋１０をボトルホルダー３の中にセットすると、前記ビニール袋１０は中に入った飲料水の重さで、底にニードル９によって孔が開けらる。この時、上述のような異なる性質を有するポリエチレンを用いた２層構造のビニール袋１０を用いると、ニードル９によってビニール袋１０の底に孔を開けた時に、孔の周りのビニール袋１０の外層がニードル９の表面に張り付いた状態でビニール袋１０の内側へと引き込まれるので、前記孔の周囲は前記ニードル９と密着した状態なり、孔の所からビニール袋１０が裂けるのを防止して、ニードル９によって開けられた孔の周囲からボトルホルダー３の内部に飲料水が漏れるのを防ぐことができる。
【００４４】
前記ビニール袋１０に孔が開けられ、前記ニードル９が前記ビニール袋１０内に挿入されると、図９に示すように、前記ニードル９の飲料水用通路１９および空気用通路２０を通ってボトルホルダー３の底部１５に飲料水が送られる。前記底部１５に一時的に貯留された飲料水は挿入棒２５により逆止弁１６が開いた状態なので前記挿入棒２５を通って前記冷却タンク４へと流れる。さらに前記冷却タンク４から加熱タンク５へと飲料水は送られ、前記冷却タンク４および前記加熱タンク５に飲料水がそれぞれ貯留され、冷却タンク４では飲料水が冷却装置により所定の温度に冷却され、加熱タンク５では飲料水は内蔵されたヒーターにより所定の温度に温められる。
【００４５】
前記冷却タンク４および前記加熱タンク５に飲料水が貯留され、飲料水が所定の温度になると、ウォーターサーバー１は使用可能な状態となる。そうすると、利用者は図１２に示すように、供給口６，７にコップ３６をセットし、希望する飲料水をコップに入れることができる。
【００４６】
飲料水が通過する通路および飲料水が貯留される場所は、パッキン１４等を用いることで密閉されて外気とは完全に遮断されており、飲料水はほとんど外気と触れることがないので、バクテリアの繁殖が防止され、常に清潔な飲料水を供給することができる。また、上述のように、ビニール袋１０内の飲料水が所定の量以下になると、前記空気用通路２０を通じて前記ビニール袋１０内に空気が送られ、ほとんどの飲料水が送りだされるので、ビニール袋１０内の飲料水をほぼすべて無駄なく使い切ることができる。
【００４７】
このように、本発明のウォーターサーバー１は、飲料水を入れたビニール袋１０を用いることで、有害物質が溶出する心配が無く、リサイクル可能な資源ごみとして処理することができ、また、冷却タンク内に空気が入らないのでバクテリアの繁殖を防ぐことができる。これにより、ランニングコストが低く抑えられ、よりクリーンなウォーターサーバーが実現できる。
【００４８】
また、飲料用液体をビニール袋１０に入れることで、従来の使い捨てのペットボトル容器と比べると、１個のビニール袋を製造するためのエネルギー削減率は約８５％となり、さらに製造コストも低減され、ウォーターサーバーの使用者に低コストで全国のおいしい水を供給し、安全に利用してもらうことが可能となる。
【００４９】
次に、第２の実施形態のウォーターサーバー１’について説明する。第２の実施形態のウォーターサーバー１’は、第１の実施形態のウォーターサーバー１に用いたボトルホルダー３とは異なる構造のボトルホルダー３’を用いたものであり、本体２と、本体２の上部にセットされるボトルホルダー３’から構成され、前記本体２の内部には、飲料用液体を冷却する冷却タンク４および飲料用液体を温める加熱タンク５を内蔵し、正面には冷やされた飲料用液体あるいは温められた飲料用液体を供給する供給口６，７が設けられており、飲料水の入ったビニール袋１０をボトルホルダー３’にセットして、冷やされた飲料水あるいは温められた飲料水を供給するものである。ボトルホルダー３’以外の構造、冷却タンク４、加熱タンク５、パッキングホルダー８（挿入棒２５’を除く）、パッキン１４等は、第１の実施形態と同じ構造を用いるので、詳細な説明は省略する。
【００５０】
図１６に示すように、前記ボトルホルダー３’は側壁とすり鉢状の底面と、前記底面の中心に設けられた円筒形状の底部１５と、蓋１３とから構成される。前記ボトルホルダー３’の底部１５は上面の中央には開口が設けられ、底は開放された状態となっており、前記上面の開口には、飲料水の入ったビニール袋１０に孔を開け、飲料水を本体２の冷却タンク４へと流出させるニードル９’が取り付けられる。
【００５１】
前記ニードル９’は、図１４，１５に示すように、先端に段差を設けたものを用いており、これにより、スムーズにビニール袋１０に孔を開け、さらに、孔を開けた時に、孔の周囲から裂けることなく前記ビール袋１０が前記ニードル９’の先端に密着しやくすくなる。
【００５２】
前記ボトルホルダー３’の底部１５の底が開放されているのを塞いで前記底部１５に一時的に飲料水を貯留するために、前記パッキングホルダー８の円筒形の窪み３２に中心に設けられた挿入棒２５’の上部に、つば状の底蓋３７を取り付ける。前記挿入棒２５’は側面ではなく先端に開口が設けられており、前記底蓋３７の中央に設けられた開口から前記挿入棒２５’の先端が突出しており、前記底蓋３７よりも上方に前記挿入棒２５’の先端の開口が位置することとなり、これにより、前記底部１５に貯留された飲料水が前記挿入棒２５’の通路を通過することができる。
【００５３】
前記底蓋３７は樹脂成型品であり、前記ボトルホルダー３’の円筒形の底部１５の内部の断面形状よりも少しい大きい円形の平面形状を有している。これにより、前記底部１５の底の開放された部分から前記底蓋３７が挿入されると、前記底蓋３７の外周面が前記底部１５の内面と密着した状態で上方へと移動され、図１７に示すように、前記底部１５は前記底蓋３７によって塞がれた状態となり、前記底部１５には飲料水が一時的に貯留可能となる。前記底部１５で貯留された飲料水は前記挿入棒２５’の開口から内部の通路を通って冷却タンク４へと流れる。
【００５４】
前記底蓋３７は前記底部１５から簡単に取り外すことができるので、前記底部１５の底に溜まった飲料水を簡単に排出可能であり、その内部を簡単に清掃することが可能となる。これにより、ボトルホルダー３’を常に清潔に保つことができるので、衛生面において優れた効果を奏する。
【００５５】
本実施形態のウォーターサーバー１’には、さらに、前記冷却タンク４に飲料水に対して殺菌効果のある紫外光を照射するＵＶ−ＬＥＤライトを設ける。前記ＵＶ−ＬＥＤライトから、例えば殺菌効果が高いとされる波長２８０ｎｍの紫外光を前記冷却タンク４内の飲料水に照射することで、飲料水で菌が繁殖するのを防止する。これにより、さらに安全な飲料水を提供することができる。前記ＵＶ−ＬＥＤライトの設置場所は冷却タンク４に限定するものではなく、飲料水に紫外光を照射できる場所であれば、その効果等を考慮して設置場所を決めることができる。前記冷却タンク４のように直接飲料水に触れる場所に前記ＵＶ−ＬＥＤライトを設置する場合には、防水処理を行う。
【００５６】
前記ビニール袋１０内の飲料水の流れる経路は、第１の実施形態とほぼ同じである。初めは、前記ニードル９’により開けられた孔から前記ビニール袋１０内に挿入された前記ニードル９’の飲料水用通路１９および空気用通路２０を通って前記ボトルホルダー３’の底部１５へと流れる。この時の飲料水は、前記ニードル９’の第１開口２１および第３開口２３から前記ニードル９’の底面の２つの開口へと流れる。前記ニードル９’を通って前記ボトルホルダー３’の底部１５へと流れた飲料水は、前記挿入棒２５’の先端の開口から内部の通路を通って前記冷却タンク４へと流れる。そして、前記冷却タンク４から前記加熱タンク５へと飲料水は流れる。このようにして、前記冷却タンク４および前記加熱タンク５に飲料水が貯められると、本発明のウォーターサーバー１’が使用可能な状態となる。本実施形態のウォーターサーバー１’の使用方法については、第１の実施形態と同じでなので省略する。
【００５７】
ここまで説明してきたビニール袋１０はニードル９，９’によってどこにでも孔を開けることが可能であったが、この場合、前記孔から飲料水が漏れないようにするために２，３層構造のビニールを用いる、あるいはニードル９’のように先端に段差を設ける等の工夫が必要であったが、飲料水の漏れを防止するためにビニール袋１０に開ける孔の位置を固定する場合について説明する。ウォーターサーバーの構造は、第１，２の実施形態のどちらでも使用することが可能であり、ここでは第１の実施形態のウォーターサーバー１を用いて説明する。
【００５８】
前記ビニール袋１０に、図１８に示すような前記ニードルの外周面と接する円筒形の側面と前記ビニール袋への取り付け面を有する鍔部からなる口栓ホルダー３８を前記ビニール袋に取り付ける。このように、前記口栓ホルダー３８を取り付けたビニール袋１０を使用する場合、前記ビニール袋１０は前記口栓ホルダー３８の底面に位置する部分に孔が開けられるので、その他の部分は上述のような異なる材質からなる３層構造を用いる必要が無く、所定の強度を有するビニールを用いることで、コストダウンすることができる。前記口栓ホルダー３８の底面の部分については、上述のような３層構造のビニールを用いるだけでなく、その他の材質のビニールを用いることも可能である。
【００５９】
前記口栓ホルダー３８を取り付けたビニール袋１０を前記ボトルホルダー３にセットする方法について説明する。前記口栓ホルダー３８に前記ニードル９を挿入するために、前記口栓ホルダー３８が底面に位置するように前記ビニール袋１０のを前記ボトルホルダー３に入れる。この時、前記口栓ホルダー３８に前記ニードル９の先端が挿入されるように位置決めする。前記ビニール袋１０が透明であれば前記口栓ホルダー３８と前記ニードル９が見えるので位置決めは容易である。
【００６０】
そして、前記口栓ホルダー３８に前記ニードル９が挿入され前記ビニール袋１０に孔が開いたら、前記ビニール袋１０の重さで前記口栓ホルダー３８に前記ニードル９の根元が接するまで前記ニードル９が差し込まれ、図１９の状態となる。この時、前記ニードル９の外周面と前記口栓ホルダー３８の円筒形の側面の内周部が接する状態となるので、前記ニードル９と前記口栓ホルダー３８が密着することにより、前記ビニール袋１０の孔の周囲から飲料水が漏れるのが防止される。
【００６１】
このように前記口栓ホルダー３８を用いることで孔から飲料水が漏れるのを防止することができるが、前記口栓ホルダー３８と、先端に段差を設けた前記ニードル９’を組み合わせる、あるいは、さらに、前記３層構造のビニールを用いたビニール袋１０を用いることで、飲料水の漏れをより確実に防止することも可能である。
【００６２】
このように本発明のウォーターサーバーを用いることで、従来よりも安全に飲料水等をいつでも供給することが可能となる。さらに、ビニール袋を用いることで環境対策にも貢献することができるようになる。
【符号の説明】
【００６３】
１，１’  ウォーターサーバー
２        本体
３，３’  ボトルホルダー
４        冷却タンク
５        加熱タンク
６        供給口
７        供給口
８        パッキングホルダー
９，９’  ニードル
１０      ビニール袋
１１      飲料水用通路
１２      空気用通路
１３      蓋
１４      パッキン
１５      底部
１６      逆止弁
１７      本体部
１８      鍔部
１９      飲料水用通路
２０      空気用通路
２１      第１開口
２２      第２開口
２３      第３開口
２４      接続部
２５，２５’  挿入棒
２６      溝
２７      鍔
２８      鍔
２９      リング
３０      仕切り壁
３１      カバー
３２      窪み
３３      キャップ
３５      弁
３６      コップ
３７      底蓋
３８      口栓ホルダー
【図１１】
2011046446.tif 000003
【図１２】
2011046446.tif 000004
【図１】
2011046446.tif 000005
【図２】
2011046446.tif 000006
【図３】
2011046446.tif 000007
【図４】
2011046446.tif 000008
【図５】
2011046446.tif 000009
【図６】
2011046446.tif 000010
【図７】
2011046446.tif 000011
【図８】
2011046446.tif 000012
【図９】
2011046446.tif 000013
【図１０】
2011046446.tif 000014
【図１３】
2011046446.tif 000015
【図１４】
2011046446.tif 000016
【図１５】
2011046446.tif 000017
【図１６】
2011046446.tif 000018
【図１７】
2011046446.tif 000019
【図１８】
2011046446.tif 000020
【図１９】
2011046446.tif 000021